(57)【要約】【課題】フォーカス操作環又はズーム操作環の近くに固定部がなく、これらの近くに撮影距離用の固定指標又は焦点距離用の固定指標を設けることができない場合であっても、投影検査時に必要な条件設定を簡単かつ正確に行うことができるレンズ鏡筒を提供する。【解決手段】ズーム操作環１０に取り付けられているリング１２の下に、検査用指標部１３を設ける。投影検査時には、検査用指標部１３の２８，１０５，２００の３つの焦点距離に相当する目盛の位置にフォーカス操作環２０の∞文字のセンターを合わせると、その焦点距離での投影検査を行う投影距離となる。【選択図】                図２
2005070112.tif 000002
【特許請求の範囲】
【請求項１】
ズームレンズ群を移動して焦点距離を変更するときに操作されるズーム操作環と、
フォーカスレンズ群を移動して合焦動作をするときに操作されるフォーカス操作環と、
前記ズーム操作環又は前記フォーカス操作環に設けられた検査用指標部と、
を備え、
前記検査用指標部と前記ズーム操作環に設けられたズーム操作環側指標部又は前記フォーカス操作環に設けられたフォーカス操作環側指標部とを組み合わせることにより、前記ズームレンズ群及び／又は前記フォーカスレンズ群を所定の位置関係に設定することができること、
を特徴とするレンズ鏡筒。
【請求項２】
請求項１に記載のレンズ鏡筒において、
前記検査用指標部と組み合わせられる前記ズーム操作環側指標部又は前記フォーカス操作環側指標部は、前記検査用指標部と対向して配置されていること、
を特徴とするレンズ鏡筒。
【請求項３】
請求項１又は請求項２に記載のレンズ鏡筒において、
前記検査用指標部は、前記ズーム操作環の外周に取り付けられるカバー部材により覆われて完成品の外観から確認できない位置に設けられていること、
を特徴とするレンズ鏡筒。
【請求項４】
請求項３に記載のレンズ鏡筒において、
前記カバー部材は、伸縮性を有する弾性部材により形成されていること、
を特徴とするレンズ鏡筒。
【請求項５】
請求項１から請求項４までのいずれか１項に記載のレンズ鏡筒において、
前記フォーカス操作環側指標部は、合焦位置までの距離を表示する撮影距離指標の一部を利用していること、
を特徴とするレンズ鏡筒。
【請求項６】
請求項１から請求項５までのいずれか１項に記載のレンズ鏡筒において、
前記検査用指標部と前記ズーム操作環側指標部又は前記フォーカス操作環側指標部とを組み合わせることにより設定される前記ズームレンズ群及び／又は前記フォーカスレンズ群の所定の位置関係は、投影検査時に必要な位置関係であること、
を特徴とするレンズ鏡筒。
【発明の詳細な説明】
【０００１】
【発明の属する技術分野】
本発明は、一眼レフカメラの交換レンズ等のレンズ鏡筒に関するものである。
【０００２】
【従来の技術】
従来から、レンズ鏡筒には、撮影距離情報、焦点距離情報等を表示するための種々の目盛が付されている（例えば、特許文献１参照）。
図５は、従来のレンズ鏡筒における目盛の例を示す図である。
図５に示した従来のレンズ鏡筒は、ズーム操作環１０，フォーカス操作環２０，移動筒３０，固定筒４０を有し、ズーム操作環１０を回転操作してズームを行うと、移動筒３０は回転せずに光軸に沿った方向に移動する。
この図４に示した従来のレンズ鏡筒における目盛は、固定筒４０に設けられた焦点距離用の固定指標４１とズーム操作環１０に設けられた焦点距離指標１１とを組み合わせて用いることにより、焦点距離の表示を行っていた。
また、フォーカス操作環２０は、その近くに固定筒４０（又は、固定筒４０のように移動しない部材）が存在しないことから、移動筒３０に設けられた撮影距離用の固定指標３１とフォーカス操作環２０に設けられた撮影距離指標２１とを組み合わせて用いることにより、撮影距離の表示を行っていた。
【０００３】
一方、レンズ鏡筒の生産時等おいて、検査用チャート等をレンズ鏡筒を介して壁面に投影して、レンズ鏡筒の光学特性の検査を行う投影検査が従来から行われていた。
この投影検査では、ズーム範囲の中から選択された複数の焦点距離において、所定の撮影距離に相当する位置にフォーカスレンズ群の位置を設定して、検査を行う必要がある。この所定の撮影距離（投影距離）は、焦点距離に応じて変わるので、従来は、レンズ鏡筒に設けられた上述の目盛を利用してズーム操作環１０を回転させて焦点距離を検査位置とし、その状態を保持したまま、フォーカス操作環２０を回転させて検査に必要な撮影距離に設定することにより、検査を行っていた。
【０００４】
【特許文献１】
特開平１０−２０６７１５号公報
【０００５】
【発明が解決しようとする課題】
しかし、移動筒３０がズーム時に回転も行う形態のレンズ鏡筒では、撮影距離用の固定指標３１を設けることができない。この場合、投影検査時に正確な目盛合わせを行うことが困難であるという問題あった。
また、投影検査の際、例えば、焦点距離が２８ｍｍの場合の投影距離が何ｍであるかを計算し、その距離の数字と指標を合わせなければならず、直感的でなく、投影距離の合わせ間違いをする可能性があった。
【０００６】
本発明の課題は、フォーカス操作環又はズーム操作環の近くに固定部がなく、これらの近くに撮影距離用の固定指標又は焦点距離用の固定指標を設けることができない場合であっても、投影検査時に必要な条件設定を簡単かつ正確に行うことができるレンズ鏡筒を提供することである。
【０００７】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、ズームレンズ群を移動して焦点距離を変更するときに操作されるズーム操作環（１０）と、フォーカスレンズ群を移動して合焦動作をするときに操作されるフォーカス操作環（２０）と、前記ズーム操作環又は前記フォーカス操作環に設けられた検査用指標部（１３）と、を備え、前記検査用指標部と前記ズーム操作環に設けられたズーム操作環側指標部又は前記フォーカス操作環に設けられたフォーカス操作環側指標部（２１）とを組み合わせることにより、前記ズームレンズ群及び／又は前記フォーカスレンズ群を所定の位置関係に設定することができること、を特徴とするレンズ鏡筒である。
【０００８】
請求項２の発明は、請求項１に記載のレンズ鏡筒において、前記検査用指標部（１３）と組み合わせられる前記ズーム操作環側指標部又は前記フォーカス操作環側指標部（２１）は、前記検査用指標部と対向して配置されていること、を特徴とするレンズ鏡筒である。
【０００９】
請求項３の発明は、請求項１又は請求項２に記載のレンズ鏡筒において、前記検査用指標部（１３）は、前記ズーム操作環の外周に取り付けられるカバー部材（１２）により覆われて完成品の外観から確認できない位置に設けられていること、を特徴とするレンズ鏡筒である。
【００１０】
請求項４の発明は、請求項３に記載のレンズ鏡筒において、前記カバー部材（１２）は、伸縮性を有する弾性部材により形成されていること、を特徴とするレンズ鏡筒である。
【００１１】
請求項５の発明は、請求項１から請求項４までのいずれか１項に記載のレンズ鏡筒において、前記フォーカス操作環側指標部（２１）は、合焦位置までの距離を表示する撮影距離指標の一部（∞）を利用していること、を特徴とするレンズ鏡筒である。
【００１２】
請求項６の発明は、請求項１から請求項５までのいずれか１項に記載のレンズ鏡筒において、前記検査用指標部（１３）と前記ズーム操作環側指標部又は前記フォーカス操作環側指標部（２１）とを組み合わせることにより設定される前記ズームレンズ群及び／又は前記フォーカスレンズ群の所定の位置関係は、投影検査時に必要な位置関係であること、を特徴とするレンズ鏡筒である。
【００１３】
【発明の実施の形態】
以下、図面等を参照しながら、本発明の実施の形態について、さらに詳しく説明する。
図１は、本発明によるレンズ鏡筒の実施形態のワイド状態（焦点距離２８ｍｍ）及びテレ状態（焦点距離２００ｍｍ）を示した図である。
本実施形態におけるレンズ鏡筒は、ズーム操作環１０，フォーカス操作環２０，移動筒３０，固定筒４０を有し、焦点距離が２８〜２００ｍｍのズームレンズ鏡筒であり、ズーム操作環１０を回転操作してズームを行うと、移動筒３０は、回転しながら光軸に沿った方向に移動する。
【００１４】
ズーム操作環１０は、ズームレンズ群を移動して焦点距離を変更するときに操作される部材であり、焦点距離指標１１が設けられている。
フォーカス操作環２０は、フォーカスレンズ群を移動して合焦動作をするときに操作される部材であり、撮影距離指標２１が設けられている。この撮影距離指標２１の内、特に無限位置を示す指標（∞）は、後述する投影検査において、フォーカス操作環側指標部としても機能する。
また、ズーム操作環１０，フォーカス操作環２０の外周には、伸縮性を有する弾性部材であるゴム製のリング１２，２２がそれぞれカバー部材として被せてある。
【００１５】
本実施形態におけるレンズ鏡筒の焦点距離の表示は、固定筒４０に設けられた固定指標４１とズーム操作環１０に設けられた焦点距離指標１１とを組み合わせて用いることにより行う。
また、撮影距離の表示は、固定筒４０に設けられた固定指標４１とフォーカス操作環２０に設けられた撮影距離指標２１とを組み合わせて用いることにより行う。
【００１６】
図２は、本実施形態のレンズ鏡筒をワイド状態においてリング１２の一部を切断して示した図である。
ズーム操作環１０のリング１２に覆われた部分には、検査用指標部１３が設けられている。
【００１７】
図３は、本実施形態におけるレンズ鏡筒の検査用指標部１３付近を拡大した図であり、図２と同様な状態を示している。
本実施形態における検査用指標部１３は、２８，１０５，２００の３つの焦点距離に相当する目盛を有している。この検査用指標部１３は、レンズ鏡筒の製造時に光学特性を検査する投影検査時に使用される。投影検査時には、これら２８，１０５，２００の３つの焦点距離に相当する目盛の位置にフォーカス操作環２０の∞文字のセンターを合わせると、その焦点距離での投影検査を行う投影距離となる。なお、この検査用指標部１３は、本実施形態では、凸形状によりズーム操作環１０に形成しているが、凹形状により形成してもよいし、印刷などにより形成してもよい。
本実施形態におけるレンズ鏡筒の投影検査は、検査用指標部１３を利用するので、リング１２を取り付ける前、又は、リング１２を取り外して行う。
また、本実施形態におけるレンズ鏡筒の投影検査を行う焦点距離は、２８ｍｍ，１０５ｍｍ，２００ｍｍの３状態で行う。
【００１８】
ここでは、２８ｍｍにおいて投影検査を行う場合のレンズ鏡筒の設定手順について説明する。
最初に、検査を行うレンズ鏡筒を不図示の検査装置の取り付け部に固定する。レンズ鏡筒を固定したら、ズーム操作環１０を操作して焦点距離指標１１の２８の位置と固定指標４１とを一致させて焦点距離を２８ｍｍに設定する。
焦点距離を２８ｍｍに設定したら、ズーム操作環１０を動かさずに焦点距離２８ｍｍを保ったまま、フォーカス操作環２０を操作して、撮影距離指標２１の無限位置を示す指標（∞）を検査用指標部１３の２８ｍｍに対応する位置に合わせる。
【００１９】
図４は、撮影距離指標２１の無限位置を検査用指標部１３の２８ｍｍに対応する位置に合わせた状態を示す図である。
このような設定を行った後、壁面に投影されたチャートをチェックして投影検査を行う。
なお、１０５ｍｍ，２００ｍｍにおける投影検査についても、焦点距離を１０５ｍｍ，２００ｍｍに設定後、２８ｍｍの場合と同様にして、撮影距離指標２１の無限位置を検査用指標部１３の１０５ｍｍ，２００ｍｍに対応する位置に合わせわることにより、投影検査に必要な設定が完了する。
【００２０】
本実施形態によれば、検査を行う作業者は、検査を行う焦点距離に応じた撮影距離を意識することなく（投影距離が何ｍであるかを計算する必要がなく）、投影検査時に必要なフォーカスレンズ群位置の設定を簡単に行うことができ、検査時の作業性を向上することができる。
【００２１】
また、撮影距離指標２１の近くに検査用指標部１３が設けられているので、撮影距離指標２１の近くに固定指標を設けることができない場合であっても、投影検査時にフォーカスレンズ群位置の設定を簡単かつ正確に行うことができる。
【００２２】
さらに、検査用指標部１３は、リング１２に覆われた位置に設けられているので、製品完成後には、製品購入者の目に触れることがなく、外観上の美観を低下させることもない。
さらにまた、再度リング１２を取り外すことにより、必要なときに再検査を容易に行うことができる。
【００２３】
（変形形態）
以上説明した実施形態に限定されることなく、種々の変形や変更が可能であって、それらも本発明の均等の範囲内である。
例えば、本実施形態において、検査用指標部１３に対して、撮影距離指標２１の無限位置を示す指標（∞）を合わせることにより、投影距離の設定を行う例を示したが、これに限らず、例えば、無限位置以外の他の指標を利用しても良いし、投影検査専用の指標をフォーカス操作環２０に設けてもよい。
【００２４】
【発明の効果】
以上詳しく説明したように、本発明によれば、以下の効果を奏することができる。
（１）検査用指標部とズーム操作環側指標部又はフォーカス操作環側指標部とを組み合わせることにより、ズームレンズ群及び／又はフォーカスレンズ群を所定の位置関係に設定することができるので、フォーカス操作環又はズーム操作環近くに固定部がなく、固定指標を設けることができない場合であっても、簡単かつ正確に所望のレンズ群位置に設定することができる。
【００２５】
（２）検査用指標部と組み合わせられるズーム操作環側指標部又はフォーカス操作環側指標部は、検査用指標部と対向して配置されているので、視認性をよくすることができ、より簡単かつ正確に所望のレンズ群位置に設定することができる。
【００２６】
（３）検査用指標部は、ズーム操作環の外周に取り付けられるカバー部材により覆われて完成品の外観から確認できない位置に設けられているので、検査時にのみ必要な検査用指標部を隠すことができる。
【００２７】
（４）カバー部材は、伸縮性を有する弾性部材により形成されているので、検査用指標部を容易に隠すことができると共に、検査などで必要なときに簡単に検査用指標部を利用することができる。
【００２８】
（５）フォーカス操作環側指標部は、合焦位置までの距離を表示する撮影距離指標の一部を利用しているので、フォーカス操作環にカバー部材を設けることができない場合であっても、製品購入者にとって不要な表示を追加することなく、上述の効果を得ることができる。
【００２９】
（６）検査用指標部とズーム操作環側指標部又はフォーカス操作環側指標部とを組み合わせることにより設定されるズームレンズ群及び／又はフォーカスレンズ群の所定の位置関係は、投影検査時に必要な位置関係であるので、投影検査を簡単かつ確実に行うことができ、投影検査時の作業性を向上することができる。
【図面の簡単な説明】
【図１】本発明によるレンズ鏡筒の実施形態のワイド状態及びテレ状態を示した図である。
【図２】本実施形態のレンズ鏡筒をワイド状態においてリング１２の一部を切断して示した図である。
【図３】本実施形態におけるレンズ鏡筒の検査用指標部１３付近を拡大した図である。
【図４】撮影距離指標２１の無限位置を検査用指標部１３の２８ｍｍに対応する位置に合わせた状態を示す図である。
【図５】従来のレンズ鏡筒における目盛の例を示す図である。
【符号の説明】
１０  ズーム操作環
１１  焦点距離指標
１２，２２  リング
１３  検査用指標部
２０  フォーカス操作環
２１  撮影距離指標
３０  移動筒
４０  固定筒
４１  固定指標
【図１】
2005070112.tif 000003
【図２】
2005070112.tif 000004
【図３】
2005070112.tif 000005
【図４】
2005070112.tif 000006
【図５】
2005070112.tif 000007